(57)【要約】【課題】映像投影面の状態が変わった場合でも適切に虚像を表示することができる映像表示装置、及び映像表示方法を提供する。【解決手段】本実施の形態にかかる映像表示装置は、映像投影面越しに視認される虚像として表示される映像に応じた映像光を投射する映像光投射部１２０と、映像光を映像投影面に導く凹面鏡１３０と、映像投影面の状態を判定する状態判定部１１１と、状態判定部１１１での判定結果に基づいて、映像投影面から前記虚像までの距離を変化させる距離変更駆動部１２６と、を備えたものである。【選択図】図４
2018090121.tif 000002
【特許請求の範囲】
【請求項１】
映像投影面越しに視認される虚像として表示される映像に応じた映像光を投射する映像光投射部と、
前記映像光を映像投影面に導く光学系と、
前記映像投影面の状態を判定する状態判定部と、
前記状態判定部での判定結果に基づいて、前記映像投影面から前記虚像までの距離を変化させる距離変更部と、を備えた映像表示装置。
【請求項２】
前記距離変更部は、前記状態判定部が前記映像投影面の透過性が低下していると判定した場合に、前記距離を短くする、請求項１に記載の映像表示装置。
【請求項３】
前記距離変更部は、前記状態判定部で判定された前記透過性の低下度合いに応じて、前記距離を短くする、請求項２に記載の映像表示装置。
【請求項４】
前記映像光投射部は、表示データに応じて光を変調する光変調素子を有し、
前記距離変更部は、前記光変調素子の位置を変えることで、前記距離を変化させる、請求項１〜３のいずれか１項に記載の映像表示装置。
【請求項５】
前記映像光投射部が投射する映像を生成する映像生成部をさらに備え、
前記映像生成部は、前記状態判定部での判定結果に基づいて、生成する映像サイズを変更する、請求項１〜４のいずれか１項に記載の映像表示装置。
【請求項６】
前記状態判定部での判定結果に基づいて、前記虚像の表示位置を変更する位置変更部をさらに備えた、請求項１〜５のいずれか１項に記載の映像表示装置。
【請求項７】
前記位置変更部は、前記状態判定部が前記映像投影面の透過性が低下していると判定した場合に、前記虚像の表示位置を下側に変更する、請求項６に記載の映像表示装置。
【請求項８】
前記光学系には、凹面鏡が設けられ、
前記位置変更部は、凹面鏡の角度、及び位置の少なくとも一方を変えることで、前記虚像の表示位置を変更する、請求項６、又は７に記載の映像表示装置。
【請求項９】
前記状態判定部は、前記映像投影面に付着している水滴を検出する水滴付着センサからの検出信号に応じて、前記映像投影面の状態を判定する、請求項１〜８のいずれか１項に記載の映像表示装置。
【請求項１０】
前記映像表示装置が車両に搭載されており、
前記状態判定部は、前記車両のワイパ動作を示す動作信号に応じて、前記映像投影面の状態を判定する、請求項１〜９のいずれか１項に記載の映像表示装置。
【請求項１１】
映像投影面越しに視認される虚像として表示される映像に応じた映像光を投射するステップと、
前記映像投影面の状態を判定するステップと、
前記状態の判定結果に基づいて、前記映像投影面から前記虚像までの距離を変化させるステップと、を備えた映像表示方法。
【発明の詳細な説明】
【技術分野】
【０００１】
本発明は、映像表示装置、及び映像表示方法に関する。
【背景技術】
【０００２】
近年、車両用表示装置として、いわゆるヘッドアップディスプレイが開発されている。例えば、特許文献１には、第１及び第２表示器と、ミラーと、赤外線カメラとを備えたヘッドアップディスプレイが開示されている。ミラーは、第１及び第２表示器の射出画像を前面ウィンドに反射する。第１表示器は、車両情報である車両速度、エンジン回転数等のデータを画像として出力する。第２表示器は、赤外線カメラで取得した車両前方の道路などの画像を出力する。
【先行技術文献】
【特許文献】
【０００３】
【特許文献１】特開２０１３−１１９２６８号公報
【発明の概要】
【発明が解決しようとする課題】
【０００４】
特許文献１のヘッドアップディスプレイは、制御部と雨滴センサとをさらに備えている。雨滴センサの値が所定値を超えた場合、制御部は、外部視界が不良であると判別する。外部視界が不良であれば、制御部は撮像データと警告データに基づく表示データを第２表示器に送信する。これにより、第１表示器による車両情報の画像と、第２表示器による車両前方の道路などの画像が共に映し出される。
【０００５】
一方、雨滴センサの値が所定値以下であれば、制御部は、外部視界が良好であると判別する。そして、第２表示器への表示データの送信を停止する。これにより、第１表示器による車両情報の画像のみが前面ウィンドに投影表示される。
【０００６】
このようなヘッドアップディスプレイでは、ウィンドシールド越しに虚像を視認することになる。例えば、ユーザ（自動車においては運転者）からは、ウィンドシールド越しの前方３ｍ〜５ｍ先に虚像が見えるようになる。したがって、ユーザはウィンドシールドの３〜５ｍ前方に目の焦点を合わせることになる。ウィンドシールドの透明度が高いために、ウィンドシールド表面を意識せずに虚像に目の焦点を合わせることができる。
【０００７】
しかしながら、雨天時にはウィンドシールドに雨滴が付着してしまう。通常は、降雨時はワイパを動作させるが、ワイパの拭き取り動作の間は雨滴が付着している。雨滴はウィンドシールド表面、すなわち虚像の位置よりも手前に付着している。このため、ウィンドシールドの表面の透過性低下や雨滴による乱反射などで、ウィンドシールド表面が目立ってしまう。よって、虚像の距離に自然に目の焦点を合わせることが困難となり、視認性が低下してしまうという問題点がある。例えば、虚像を見るために、虚像に目の焦点を合わせようとしても、意図せずにウィンドシールドに目の焦点が合う場合があり、疲労の原因となっている。
【０００８】
本発明は上記の点に鑑みなされたもので、映像投影面の状態が変わった場合でも適切に虚像を表示することができる映像表示装置、及び映像表示方法を提供することを目的とする。
【課題を解決するための手段】
【０００９】
本発明の一態様にかかる映像表示装置は、映像投影面越しに視認される虚像として表示される映像に応じた映像光を投射する映像光投射部と、前記映像光を映像投影面に導く光学系と、前記映像投影面の状態を判定する状態判定部と、前記状態判定部での判定結果に基づいて、前記映像投影面から前記虚像までの距離を変化させる距離変更部と、を備えたものである。
【００１０】
本発明の一態様にかかる映像表示方法は、映像投影面越しに視認される虚像として表示される映像に応じた映像光を投射するステップと、前記映像投影面の状態を判定するステップと、前記状態の判定結果に基づいて、前記映像投影面から前記虚像までの距離を変化させるステップと、を備えたものである。
【発明の効果】
【００１１】
本発明によれば、視認性の高い映像表示装置、及び映像表示方法を提供することができる。
【図面の簡単な説明】
【００１２】
【図１】ヘッドアップディスプレイ装置が搭載されている自動車を模式的に示す図である。
【図２】ダッシュボード上に設置されたヘッドアップディスプレイ装置の構成を模式的に示す側面図である。
【図３】映像光投射部の構成を示す側面図である。
【図４】ヘッドアップディスプレイ装置の制御構成を示すブロック図である。
【図５】状態判定結果とウィンドシールドの透過性の対応を示す表である。
【図６】ウィンドシールドの透過性と虚像距離との対応を示す表である。
【図７】表示素子の位置に応じた虚像距離を示す側面図である。
【図８】ヘッドアップディスプレイ装置による映像表示方法を示すフローチャートである。
【図９】フロントガラスの透過性と映像サイズの設定との対応を示す表である。
【図１０】実施の形態２にかかる映像表示方法を示すフローチャートである。
【図１１】実施の形態３にかかるヘッドアップディスプレイ装置の構成を模式的に示す側面図である。
【図１２】実施の形態３にかかるヘッドアップディスプレイ装置の制御構成を示すブロック図である。
【図１３】虚像の位置を変えた構成を示す側面図である。
【図１４】虚像の位置を変えた構成を示す図である。
【図１５】ウィンドシールドの透過性と虚像の表示位置との対応を示す表である。
【図１６】虚像の表示位置を説明するための模式図である。
【図１７】実施の形態３にかかる映像表示方法を示すフローチャートである。
【発明を実施するための形態】
【００１３】
実施の形態１．
〈全体構成〉
以下、図面を参照して、本発明の実施の形態について説明する。なお、以下の説明では、本実施の形態にかかる映像表示装置が自動車に搭載されるヘッドアップディスプレイとなっている。さらに、ヘッドアップディスプレイ装置が、自動車のダッシュボードに搭載されているとして説明を行う。ヘッドアップディスプレイ装置は、自動車以外の車両や、車両以外の他の乗物に取り付けてもよい。
【００１４】
図１は、自動車１のダッシュボード１０上に設置されたヘッドアップディスプレイ装置１００の構成を模式的に示す図である。図１では、運転者Ｐを観察者としている。ヘッドアップディスプレイ装置１００からは所望の画像を表示させるように、生成、調整された映像光Ｌ１が発射される。ヘッドアップディスプレイ装置１００はステアリングホイール１２の前方に配置されている。
【００１５】
この映像光Ｌ１は、ウィンドシールド（フロントガラス）１１に向けて射出される。ウィンドシールド１１は可視光の一部を透過して、一部を反射する。したがって、ウィンドシールド１１は、映像光Ｌ１を運転者Ｐの方向に反射する。ウィンドシールド１１で反射した映像光Ｌ１は、運転者Ｐの眼に入射し、網膜上に像を結ぶ。同時に、ウィンドシールド１１には外界からの外光Ｌ２も入射する。外光Ｌ２はウィンドシールド１１を透過して、運転者Ｐの眼に入射する。したがって、外界からの外光Ｌ２とヘッドアップディスプレイ装置１００からの映像光Ｌ１とがオーバーレイ（重畳）し、運転者Ｐの視界には外界の実景とヘッドアップディスプレイ装置１００によって生成等された画像とが同時に見えることになる。ヘッドアップディスプレイ装置１００は、ウィンドシールド１１の前方に虚像を表示させる。これにより、運転者Ｐがステアリングホイール１２を操作中であっても、視線を落とさずに映像を視認することができる。
【００１６】
なお、以下の説明では、ヘッドアップディスプレイ装置１００が自動車１のダッシュボード１０上に置かれている状態での方向を基準に説明する。すなわち、自動車１の方向を基準の方向とする。例えば、ウィンドシールド１１側を前方として、運転者Ｐ側を後方として説明する。同様に、自動車１のルーフ側を上方とし、地面側を下方とし、自動車１の横方向（左右方向）を側方として説明する。
【００１７】
（ヘッドアップディスプレイ装置１００）
図２を用いて、ヘッドアップディスプレイ装置１００の構成について詳細に説明する。図２は、ヘッドアップディスプレイ装置１００の構成を模式的に示す側面図である。ヘッドアップディスプレイ装置１００は、映像光投射部１２０と、制御部１１０と、凹面鏡１３０と、を備えている。
【００１８】
映像光投射部１２０は、映像光Ｌ１を投射するプロジェクタを有している。具体的には、映像光投射部１２０は、光を発生する光源、制御信号に応じて光源で発生した光を変調する光変調素子、及び光を投射する投射レンズ等を有している。例えば、光変調素子である液晶パネルがバックライト光源からの光を変調する。あるいは、光変調素子として、ＭＥＭＳ（Micro Electronics Mechanical System）ミラー等の走査ミラーを用いることができる。この場合、レーザダイオードやＬＥＤ（Light Emitting Diode）などの光源からの光を、制御信号に応じて走査ミラーが走査する。
【００１９】
映像光投射部１２０は、制御信号に応じて、映像光Ｌ１を投射する。具体的には、映像光投射部１２０は投射映像に応じた映像光Ｌ１を生成して、前方に向けて出射する。映像光投射部１２０の前方には、凹面鏡１３０が配置されている。したがって、映像光投射部１２０からの映像光Ｌ１は、凹面鏡１３０に入射する。
【００２０】
凹面鏡１３０は、映像光投射部１２０からの映像光Ｌ１を上方に反射する。凹面鏡１３０で反射された映像光Ｌ１が拡がりながら進むため、表示される映像が拡大される。凹面鏡１３０の上方には、ウィンドシールド１１が配置されている。したがって、凹面鏡１３０で反射した映像光Ｌ１は、ウィンドシールド１１に入射する。凹面鏡１３０は、映像光Ｌ１をウィンドシールド１１に導く光学系を構成する。映像光Ｌ１をウィンドシールド１１に導く光学系は、凹面鏡１３０のほかに、レンズや折返しミラー等などのその他の光学部品を有していてもよい。
【００２１】
ウィンドシールド１１は、入射した映像光Ｌ１の一部を反射して、虚像を表示させる。したがって、上述のように、ウィンドシールド１１で反射した映像光は観察者Ｐ１の眼に入射する。
【００２２】
制御部１１０は、プロセッサやメモリなどを有する情報処理装置であり、ヘッドアップディスプレイ装置１００全体を統括的に制御する。制御部１１０は、外部から入力された表示データに基づいて、制御信号を生成する。そして、制御部１１０は、制御信号を映像光投射部１２０に出力する。
【００２３】
（映像光投射部１２０）
次に、映像光投射部１２０の構成について、図３を用いて説明する。図３は、映像光投射部１２０の構成を示す図である。映像光投射部１２０は、光源１２１と、ライトトンネル１２２と、フレネルレンズ１２３と、拡散板１２４と、表示素子１２５と、を備えている。
【００２４】
光源１２１は、ＬＥＤ（Light Emitting Diode)等であり、光を放出する。光源１２１からのライトトンネル１２２に入射する。ライトトンネル１２２はその内部に反射面を備える導光部材であり、光が表示素子１２５のほぼ全面に入射するように、光源１２１からの光を拡げる。すなわち、ライトトンネル１２２は、ＬＥＤからの光を面状の光に変換する。ライトトンネル１２２を通過した光は、フレネルレンズ１２３に入射する。
【００２５】
フレネルレンズ１２３は、ライトトンネル１２２から出射された光を屈折する。フレネルレンズ１２３を通過した光は拡散板１２４に入射する。拡散板１２４は光を拡散する。拡散板１２４を通過した光は、表示素子１２５に入射する。
【００２６】
表示素子１２５は、液晶パネルなどの光変調素子である。表示素子１２５は、例えば、透過型液晶パネルであり、マトリクス状に配列された複数の画素を備えている。そして、それぞれの画素は、制御信号に応じて制御される。したがって、表示素子１２５は、制御部１１０からの制御信号に応じて、光を変調する。具体的には、表示素子１２５は、階調データを含む制御信号に応じて、画素ごとに透過率を制御する。表示素子１２５を通過した光は、制御信号に応じた映像光Ｌ１となる。これにより、映像光投射部１２０は、所望の画像を形成するための映像光Ｌ１を生成することができる。
【００２７】
なお、映像光投射部１２０は、透過型の液晶パネルを利用したものに限らず、反射型の液晶パネルや、ＭＥＭＳミラーなどの他の光変調素子を利用してもよい。さらに、映像光投射部１２０は、投影レンズなどの他の光学部品を備えていてもよい。
【００２８】
表示素子１２５は、距離変更駆動部１２６に取り付けられている。距離変更駆動部１２６は、モータ等のアクチュエータとリニアガイドなどの機構を備えている。距離変更駆動部１２６は、表示素子１２５を前後方向に駆動する。すなわち、距離変更駆動部１２６が表示素子１２５を駆動することで、表示素子１２５と拡散板１２４との間の距離が変化する。距離変更駆動部１２６は、表示素子１２５の表面と垂直な方向に沿って、表示素子１２５を移動させる。
【００２９】
（制御構成）
次に、ヘッドアップディスプレイ装置１００の制御構成について、図４を用いて説明する。図４は、ヘッドアップディスプレイ装置１００の制御構成を示すブロック図である。制御部１１０は、状態判定部１１１と、表示データ取得部１１２と、映像生成部１１３と、投射制御部１１４と、距離変更制御部１１６とを備えている。
【００３０】
表示データ取得部１１２は、外部機器（不図示）から表示データを取得する。外部機器は、ヘッドアップディスプレイ装置１００で表示するための表示データを生成して、ヘッドアップディスプレイ装置１００に出力する。例えば、外部機器は、カーナビゲーション装置、ＣＡＮ（Control Area Network）を介して接続された他の装置などである。また、外部機器は、スマートフォンやタブレット端末などの外部端末であってもよい。表示データはヘッドアップディスプレイ１００の図示しない記憶部に記憶されていてもよい。
【００３１】
表示データ取得部１１２は、ナビゲーション装置から、例えば、進行方向情報（右折、左折、直進等）、目的地までの距離情報等を取得する。また、表示データ取得部１１２は、自動車１の制御装置からＣＡＮを介して、自動車１の走行速度情報等を取得する。表示データ取得部１１２は、外部端末から、電話機能やメール機能の着信有無情報を取得する。外部端末がナビゲーションアプリを有する場合、表示データ取得部１１２は、外部端末から、ナビゲーションアプリからの進行方向情報、目的地までの距離情報等を取得する。そして、表示データ取得部１１２は、これらの情報を取得する。表示データ取得部１１２は、これらの情報を、数値や文字列等を示すデジタルデータとしても取得してもよく、映像を構成するデジタルデータとして取得してもよい。さらに、映像は、サイドカメラやリアカメラで撮像した撮像画像を含んでいてもよい。
【００３２】
映像生成部１１３は、表示データ取得部１１２が取得した表示データに基づいて、映像を生成する。そして、投射制御部１１４は、映像生成部１１３が生成した表示映像に応じた制御信号を生成する。投射制御部１１４は、生成した制御信号を映像光投射部１２０の光源１２１、及び表示素子１２５に出力する。
【００３３】
映像光投射部１２０は、上記したように、制御信号に応じて変調された映像光Ｌ１を出射する。具体的には、光源１２１は、投射制御部１１４からの制御信号に応じた輝度の光を発生する。表示素子１２５は、光源１２１からの光を変調する。これにより、表示データに応じた映像光Ｌ１が映像光投射部１２０から投射される。映像光Ｌ１は凹面鏡１３０を介して、ウィンドシールド１１に投射される。ウィンドシールド１１は映像投影面となる。
【００３４】
制御部１１０は、状態検出部１６０に接続され、または状態検出部１６０からの情報を取得可能となっている。状態検出部１６０は、ウィンドシールド１１の状態を検出する。すなわち、状態検出部１６０は、ウィンドシールド１１の透過性を検出する。具体的には、状態検出部１６０は、ウィンドシールド１１に雨滴が付着しているか否かを検出する。雨滴が付着している場合、ウィンドシールド１１の透過性が低下する。なお、状態検出部１６０は、ウィンドシールド１１に付着した雨滴量に応じた情報を取得してもよい。そして、状態検出部１６０は、検出結果に応じた検出信号を制御部１１０に出力する。
【００３５】
例えば、状態検出部１６０としては、赤外線センサを用いた水滴付着センサを用いることができる。水滴付着センサは、ウィンドシールド１１の車室内側に、赤外線の出射部と受光部を備え、赤外線の戻り率によって降雨を検出する。例えば、ウィンドシールド１１に雨滴が付着していると、赤外線が乱反射されるため、赤外線の戻り率が低くなる。よって、状態検出部１６０は、水滴付着センサによって、雨滴の有無や雨滴量を検出することができる。
【００３６】
あるいは、状態検出部１６０は、ワイパ動作により、ウィンドシールド１１の状態を検出してもよい。自動車のワイパ動作の有無により、雨滴が付着したかを検出することができる。さらに、ワイパ動作の間欠周期により、雨滴量に応じた情報を取得することができる。ワイパ動作を用いる場合、状態検出部１６０がＣＡＮ等からの信号により、状態を検出する。
【００３７】
そして、状態判定部１１１は、状態検出部１６０からの検出信号に基づいて、ウィンドシールド１１の状態を判定する。そして、状態判定部１１１は、判定結果を示す判定信号を距離変更制御部１１６に出力する。
【００３８】
具体的には、雨滴量が多いほど、状態判定部１１１は、ウィンドシールド１１の透過性が低下していると判定する。図５に状態検出部１６０による状態検出の結果と、透過性の関係を示す。なお、図５では、状態検出部１６０としては、水滴付着センサと、ワイパ動作の２例を挙げている。また、図５では、状態検出部１６０が３段階でウィンドシールド１１の状態を検出している。すなわち、状態検出部１６０は、ウィンドシールド１１の透過性の低下度合を、「なし」、「小」、「大」の３段階で評価している。
【００３９】
状態検出部１６０が水滴付着センサを用いる場合、状態判定部１１１は、水滴付着センサからの検出信号に基づいて、ウィンドシールド１１の状態を判定する。例えば、雨滴量が多くなるほど、赤外線の戻り率が低下する。よって、赤外線の戻り率の低下に応じて、状態検出部１６０は雨滴量を検出することができる。雨滴未検出時には、状態判定部１１１は、透過性の低下がないと判定する。すなわち、雨が降っておらず、ウィンドシールド１１に雨滴（水滴）が付着していない。この場合、状態検出部１６０が雨滴を検出しないため、透過性が低下しない。また、検出された雨滴量が所定のしきい値よりも大きい時、透過性の低下が大きいとみなす。一方、状態検出部１６０が雨滴を検出しているが、検出された水滴量がしきい値よりも小さい時、状態判定部１１１は、透過性の低下が小さいと判定する。
【００４０】
状態検出部１６０がワイパ動作を用いる場合、ワイパ動作を示す動作信号に基づいて、状態判定部１１１がウィンドシールド１１の状態を判定する。ワイパ動作が未動作、又はＭＩＳＴの時、状態判定部１１１は透過性の低下がないと判定する。例えば、雨滴が付着していない場合、運転者Ｐがワイパを動作しない。よって、ワイパが未動作の場合、状態判定部１１１は透過性の低下がないと判定することができる。また。ワイパ動作がＩＮＴの時、状態判定部１１１は透過性の低下が小さいと判定する。ワイパ動作がＬｏ又はＨｉの時、状態判定部１１１は透過性の低下が大きいと判定する。
【００４１】
このように、図５に示す表を参照して、状態判定部１１１がウィンドシールド１１の状態を判断する。状態検出部１６０からの検出信号に基づいて状態判定部１１１がウィンドシールド１１の状態を判定することができる。もちろん、状態判定部１１１は、ウィンドシールド１１の状態を４段階以上に分けて判定してもよく、２段階に分けて判定してもよい。ウィンドシールド１１の状態を２段階に分ける場合、状態判定部１１１は、透過性の低下の有無を判定することができる。また、ウィンドシールド１１の状態を４段階以上に分ける場合、状態判定部１１１において、検出された雨滴量に対するしきい値を２以上設定すればよい。状態判定部１１１は、状態を段階的に判定するものに限らす、演算式を用いて、雨滴量を連続的に算出してもよい。
【００４２】
また、ウィンドシールド１１の状態を検出する状態検出部１６０は、水滴付着センサ又はワイパ動作に限られるものではない。さらに、状態検出部１６０は、水滴付着センサ及びワイパ動作を組み合わせて、ウィンドシールド１１の状態を検出してもよい。
【００４３】
図４の説明に戻る。状態判定部１１１は、判定結果を示す距離変更制御部１１６に出力する。距離変更制御部１１６は、判定結果に基づいて、変更する距離を算出する。そして、距離変更制御部１１６は、算出した距離に応じた距離制御信号を距離変更駆動部１２６に出力する。距離変更制御部１１６および距離変更駆動部１２６は、距離変更部として機能する。
【００４４】
距離変更駆動部１２６は、距離制御信号に応じて、表示素子１２５を駆動する。すなわち、表示素子１２５が図３に示したように移動する。運転者Ｐがウィンドシールド１１越しに視認される虚像の位置が光軸方向に沿って変化する。ウィンドシールド１１の透過性の低下度合に応じて、ウィンドシールド１１から虚像までの距離が変化する。
【００４５】
ここで、ウィンドシールド１１の透過性の低下度合と、運転者Ｐから虚像までの距離との対応を図６に示す。図６は、ウィンドシールド１１の透過性の低下度合と、運転者Ｐから虚像までの距離との対応を示す表である。
【００４６】
透過性の低下が無い場合の距離をデフォルト距離Ａとする。透過性の低下が小さい場合の距離を距離Ｂとする。透過性の低下が大きい場合の距離を距離Ｃとする。デフォルト距離Ａは距離Ｂよりも大きく、距離Ｂは距離Ｃよりも大きくなっている。このように、ウィンドシールド１１の透過性の低下度合に応じて、距離変更制御部１１６は、ウィンドシールド１１から虚像までの距離を変更する。デフォルト距離Ａの場合、虚像がウィンドシールド１１から最も遠くなる。距離Ｃの場合、虚像がウィンドシールド１１から最も近くなる。
【００４７】
図７は、表示素子１２５の位置と、虚像の距離との関係を示す側面図である。図７では、距離変更駆動部１２６によって駆動された表示素子１２５が表示素子１２５Ａ〜１２５Ｃとして示されている。表示素子１２５Ａは、透過性の低下が無い場合に対応する。表示素子１２５Ｂは、透過性の低下率が小さい場合に対応する。表示素子１２５Ｃは、透過性の低下率が大きい場合に対応する。
【００４８】
表示素子１２５Ａの位置では、虚像がデフォルト距離Ａに表示される、表示素子１２５Ｂの位置では、虚像が距離Ｂに表示される。表示素子１２５Ｃの位置では、虚像が距離Ｃに表示される。このように、表示素子１２５を後方に移動すると、虚像の位置がウィンドシールド１１から遠ざかっていく。
【００４９】
次に、図８を参照して、ヘッドアップディスプレイ装置１００による映像表示方法を説明する。図８は映像表示方法を示すフローチャートであり、具体的にはウィンドシールド１１の状態に応じた距離変更処理を示している。なお、図８のフローチャートの処理が開始する前に、表示データ取得部１１２が表示データを取得しており、状態検出部１６０がウィンドシールド１１の状態を検出している。また、表示素子１２５は、デフォルト位置、すなわち、表示素子１２５Ａの位置となっている。
【００５０】
まず、状態判定部１１１が映像投映面（ウィンドシールド１１）の透過性が低下しているか否かを判定する（Ｓ１１）。すなわち、状態判定部１１１は、状態検出部１６０での検出結果に基づいて、ウィンドシールド１１の状態を判断する。映像投映面の透過性低下の判定は、図５の表にしたがって行われる。例えば、雨滴が未検出の場合、状態判定部１１１が透過性の低下が無いと判定する（Ｓ１１のＮＯ）。あるいは、ワイパ動作が停止又はＭＩＳＴの場合、状態判定部１１１が透過性の低下が無いと判定する。この場合、映像変更処理を終了する。すなわち、映像生成部１１３が、通常通りの処理で映像を生成する。そして、映像光投射部１２０がデフォルト映像を表示するための映像光Ｌ１を生成して、射出する。
【００５１】
透過性が低下している場合（Ｓ１１のＹＥＳ）、状態判定部１１１は、透過性の低下率が大きいか否かを判定する（Ｓ１２）。すなわち、状態判定部１１１は、状態検出部１６０での検出結果に基づいて、ウィンドシールド１１の状態を判断する。透過性低下率が大きいか否かの判定は、図５の表に従って行われる。例えば、検出雨滴量が小さい場合、状態判定部１１１が透過性の低下が小さいと判定する（Ｓ１２のＮＯ）。一方、検出雨滴量が大きい場合、状態判定部１１１が透過性の低下が大きいと判定する（Ｓ１２のＹＥＳ）。あるいは、ワイパ動作がＩＮＴの場合、状態判定部１１１が透過性の低下が小さいと判定する（Ｓ１２のＮＯ）。一方、ワイパ動作がＬｏ又はＨｉの場合、状態判定部１１１が透過性の低下が大きいと判定する（Ｓ１２のＹＥＳ）。
【００５２】
状態判定部１１１が透過性の低下が大きいと判定した場合（Ｓ１２のＹＥＳ）、虚像が距離Ｃに表示される（Ｓ１３）。すなわち、距離変更駆動部１２６が表示素子１２５を表示素子１２５Ｃの位置まで移動する。状態判定部１１１が透過性の低下が小さいと判定した場合（Ｓ１２のＮＯ）、虚像が距離Ｂに表示される（Ｓ１４）。すなわち、距離変更駆動部１２６が表示素子１２５を表示素子１２５Ｂの位置まで移動する。
【００５３】
このように、本実施の形態では、状態判定部１１１がウィンドシールド１１の透過性が低下したと判定した場合、虚像の距離を変えるため、距離変更駆動部１２６が表示素子１２５を移動する。したがって、透過性が低下すると、虚像とウィンドシールド１１との距離が小さくなる。虚像の焦点がウィンドシールド１１に近くなる。
【００５４】
このようにすることで、ウィンドシールド１１の状態が変わった場合でも、適切に虚像を表示することができる。例えば、視線の先に表示されている虚像を手前にずらすことで、ワイパにより遮られる不快感などを軽減することができる。よって、運転者Ｐの視界を良好にすることで安全な運転を可能にする。ヘッドアップディスプレイ装置１００に虚像を手前に移動させる。雨などにより視界が悪い場合に、運転者Ｐが運転にさらに集中することができる。
【００５５】
なお、虚像の距離を変える方法としては、表示素子１２５のみを移動する方法にかぎられるものではない。例えば、表示素子１２５と凹面鏡１３０との距離を可変とすればよい。具体的には、距離変更駆動部１２６が映像光投射部１２０全体を移動することで、ウィンドシールド１１から虚像までの距離を変更してもよい。あるいは、距離変更駆動部１２６が凹面鏡１３０を移動することで、ウィンドシールド１１から虚像までの距離を変更してもよい。
【００５６】
実施の形態２．
本実施の形態では、実施の形態１での処理に加えて、表示素子１２５が生成する映像サイズを変更する処理を行っている。なお、映像サイズの変更処理以外の処理、及び構成については、実施の形態１と同様であるため、説明を省略する。
【００５７】
例えば、図７に示したように、虚像の距離を変える場合について説明する。映像光Ｌ１は凹面鏡１３０により拡がりながら進む。よって、凹面鏡１３０と表示素子１２５との距離によって、虚像の表示サイズが変わってしまう。すなわち、表示素子１２５と凹面鏡１３０との距離が大きくなるほど、ウィンドシールド１１から虚像までの距離も大きくなるとともに虚像の表示サイズが大きくなる。したがって、状態判定部１１１での判定結果に基づいて、映像生成部１１３が映像サイズを拡大するように、映像を生成する。これにより、虚像の距離が変わった場合でも、表示される虚像のサイズを一定とすることができる。例えば、図７に示したように、ウィンドシールド１１の透過性の低下が無い場合の虚像を虚像（Ａ）として、ウィンドシールド１１の透過性の度合いによって虚像（Ｂ）、虚像（Ｃ）のようにウィンドシールド１１から虚像までの距離を短くする。このとき、映像生成部１１３がいずれの虚像位置においても虚像のサイズが一定となるようなサイズの映像を生成する。
【００５８】
図９に、ウィンドシールド１１の透過性の低下度合と、虚像の距離と、表示素子１２５での映像サイズとの対応を示す。状態判定部１１１で透過性が低下無と判定された場合の虚像の距離と表示素子１２５の映像サイズをそれぞれデフォルト距離Ａとデフォルトサイズとする。
【００５９】
状態判定部１１１で透過性の低下が小さいと判定された場合の虚像の距離と表示素子１２５の映像サイズをそれぞれ距離Ｂと中サイズとする。距離Ｂは、デフォルト距離Ａより大きく、中サイズは、デフォルトサイズよりも大きくなっている。状態判定部１１１で透過性の低下が大きいと判定された場合の虚像の距離と表示素子１２５の映像サイズをそれぞれ距離Ｃと大サイズとする。距離Ｃは、距離Ｂより大きく、大サイズは、中サイズよりも大きくなっている。
【００６０】
映像生成部１１３が映像サイズを変更する場合、表示素子１２５が表示に用いる有効領域とその周辺の非有効領域を変えていけばよい。例えば、表示素子１２５では、ウィンドシールド１１の局面に応じて歪み補正を行うために、全ての領域を用いて表示していない。すなわち、表示素子１２５には、表示が行われる有効領域とその周囲に非有効領域とが設けられている。有効領域では、各画素が階調表示を行い、非有効領域では各画素が黒表示を行う。
【００６１】
デフォルトサイズの場合、映像生成部１１３は、表示素子１２５の中心部分の有効領域を小さくして、その周囲の非有効領域を大きくする。表示全体サイズを大きくする場合、有効領域の割合を大きくすればよい。表示素子１２５の有効領域内において表示できるサイズの映像を映像生成部１１３が生成すればよい。このようにすることで、虚像の距離を変えた場合でも、虚像を適切なサイズで表示することができる。このように、ウィンドシールド１１の視認性の低下度合に応じて、映像生成部１１３が映像サイズを拡大する。したがって、映像生成部１１３には、状態判定部１１１での判定結果に応じた判定信号が入力される。
【００６２】
本実施の形態にかかる映像表示方法について、図１０を用いて説明する。図１０は、実施の形態２にかかる映像表示方法を示すフローチャートである。なお、ステップＳ２１〜Ｓ２２の処理は、実施の形態１で示した図８のステップＳ１１〜Ｓ１２と同様であるため説明を省略する。例えば、透過性の低下が無い場合、ヘッドアップディスプレイ装置１００が、デフォルトの設定で虚像を表示する。すなわち、デフォルト距離Ａにデフォルトサイズの虚像が表示される。
【００６３】
状態判定部１１１が透過性の低下が大きいと判定した場合（Ｓ２２のＹＥＳ）、虚像が距離Ｃに表示されるとともに、表示素子１２５の映像サイズが大サイズとなる（Ｓ２３）。すなわち、距離変更駆動部１２６が表示素子１２５を表示素子１２５Ｃの位置まで移動する。さらに、表示素子１２５の映像サイズが大サイズとなるように、映像生成部１１３が映像を生成する。
【００６４】
状態判定部１１１が透過性の低下が小さいと判定した場合（Ｓ２２のＮＯ）、虚像が距離Ｂに表示されるとともに、表示素子１２５の映像サイズが中サイズとなる（Ｓ２４）。すなわち、距離変更駆動部１２６が表示素子１２５を表示素子１２５Ｂの位置まで移動する。さらに、表示素子１２５の映像サイズが大サイズとなるように、映像生成部１１３が映像を生成する。
【００６５】
このようにすることで、実施の形態１と同様の効果に加えて、虚像の表示サイズを適切にすることができる。これにより、ウィンドシールド１１越しに運転者Ｐが視認する虚像の表示サイズを一定にすることができる。もちろん、虚像の表示サイズを一定にしてなくてもよい。すなわち、ウィンドシールド１１の状態に応じて、虚像の表示サイズを適宜変更してもよい。
【００６６】
実施の形態３．
本実施の形態では、実施の形態１の処理に加えて、虚像の表示位置を変える処理をお行っている。なお、虚像の表示位置の変更処理以外の処理、及び構成については、実施の形態１と同様であるため、説明を省略する。
【００６７】
図１１は、実施の形態３にかかるヘッドアップディスプレイ装置１００を示す側面図である。ヘッドアップディスプレイ装置１００は、実施の形態１の構成に加えて、位置変更駆動部１３１を備えている。位置変更駆動部１３１はモータなどを有しており、凹面鏡１３０の角度を変える。凹面鏡１３０の角度を変えることで、反射面の傾きが変わる。よって、映像光Ｌ１の反射方向が変わるため、虚像の表示位置が変化する。なお、図１１では、位置変更駆動部１３１は、凹面鏡１３０の角度を変えているが、凹面鏡１３０の位置を変えてもよい。あるいは、位置変更駆動部１３１は凹面鏡１３０の位置及び角度の両方を変えてもよい。さらには、距離変更制御部１１６は、映像光投射部１２０の傾きや位置を変えてもよい。すなわち、位置変更駆動部１３１映像光Ｌ１の進行方向を変えることで、虚像の表示位置を変更してもよい。
【００６８】
図１２を用いて、本実施の形態にかかるヘッドアップディスプレイ装置１００の制御構成について説明する。図１２は、ヘッドアップディスプレイ装置１００の制御構成を示すブロック図である。実施の形態１の構成に加えて、ヘッドアップディスプレイ装置１００は、位置変更制御部１１７と、位置変更駆動部１３１とを備えている。制御部１１０が位置変更制御部１１７を有している。
【００６９】
状態判定部１１１は、判定結果を示す判定信号を位置変更制御部１１７に出力する。位置変更制御部１１７は、判定結果に基づいて、虚像の表示位置を算出する。すなわち、位置変更制御部１１７は、ウィンドシールド１１の透過性の度合いに応じた虚像の表示位置を算出する。位置変更制御部１１７は、虚像の表示位置に応じた制御信号を距離変更駆動部１２６に出力する。
【００７０】
位置変更駆動部１３１は、位置制御信号に応じて、凹面鏡１３０の角度を変更する。これにより、虚像の表示位置を変更することができる。図１３、図１４を用いて、虚像の位置を変更する処理について説明する。図１３は、変更前後の虚像の位置を示す側面図である。図１４は、変更前後の虚像の表示位置を運転者Ｐ側から示す模式図である。図１３、図１４において、位置変更前の虚像の表示位置をデフォルト位置Ｄとし、位置変更後の虚像の表示位置を位置Ｆとしている。図１３、図１４では、虚像の表示位置Ｆは表示位置Ｄよりも下方に移動している。すなわち、位置変更駆動部１３１は、虚像が上下に移動するように、凹面鏡１３０の角度を変える。
【００７１】
図１５は、ウィンドシールド１１の透過性の低下度合と、虚像の距離と、虚像の表示位置との対応を示す表である。図１６は、虚像の表示位置Ｄ〜Ｆを説明するための模式図である。図１６では、ダッシュボード１０とウィンドシールド１１との境界部分を示している。状態判定部１１１で透過性が低下無と判定された場合の虚像の距離と表示素子１２５の映像サイズをそれぞれデフォルト距離Ａとデフォルト位置Ｄとする。
【００７２】
状態判定部１１１で透過性の低下が小さいと判定された場合の虚像の距離と表示位置をそれぞれ距離Ｂと位置Ｅとする。距離Ｂは、デフォルト距離Ａより大きく、位置Ｅは、図１６に示すように、デフォルト位置Ｄよりも下側になっている。状態判定部１１１で透過性の低下が大きいと判定された場合の虚像の距離と表示位置をそれぞれ距離Ｃと位置Ｆとする。位置Ｆは、図１６に示すように、位置Ｅよりも下側に位置している。
【００７３】
本実施の形態にかかる映像表示方法について、図１７を用いて説明する。図１７は、実施の形態２にかかる映像表示方法を示すフローチャートである。なお、ステップＳ３１〜Ｓ３２の処理は、実施の形態１で示した図８のステップＳ１１〜Ｓ１２と同様であるため説明を省略する。例えば、透過性の低下が無い場合、ヘッドアップディスプレイ装置１００が、デフォルトの設定で虚像を表示する。すなわち、デフォルト距離Ａかつデフォルト位置Ｄで虚像が表示される。
【００７４】
状態判定部１１１が透過性の低下が大きいと判定した場合（Ｓ３２のＹＥＳ）、虚像が距離Ｃに表示されるとともに、虚像が表示位置Ｆとなる（Ｓ３３）。すなわち、距離変更駆動部１２６が表示素子１２５を表示素子１２５Ｃの位置まで移動する。さらに、位置変更駆動部１３１が凹面鏡１３０を駆動する。
【００７５】
状態判定部１１１が透過性の低下が小さいと判定した場合（Ｓ３２のＮＯ）、虚像が距離Ｂに表示されるとともに、虚像が表示位置Ｅとなる（Ｓ３４）。すなわち、距離変更駆動部１２６が表示素子１２５を表示素子１２５Ｂの位置まで移動する。さらに、位置変更駆動部１３１が凹面鏡１３０を駆動する。
【００７６】
このように、ウィンドシールド１１の透過性が低下するほど、虚像の表示位置を下側にずらしていく。このようにすることで、虚像の表示位置がよりダッシュボード１０に近くなっていく。したがって、運転者Ｐが自動車１のインパネと同様に少し目線をずらすことで、虚像を見ることができるようになる。運転中の視界に入りにくい位置に虚像を表示する事で、運転者Ｐが運転に集中できるようになる。よって、安全性をより向上することができる。
【００７７】
なお、上記の説明では、虚像の表示位置を上下方向に移動するように、位置変更駆動部１３１が凹面鏡１３０の角度を変えたが、虚像の表示位置の移動方向は特に限定されるものではない。例えば、虚像を左下方向や右下方向等の斜め方向に移動してもよい。さらに、運転者Ｐが視線を外すことができる位置であれば、表示位置を左右方向に移動してもよい。
【００７８】
なお、虚像の距離、映像サイズ、及び表示位置を変える方法は、凹面鏡１３０の角度に限定されるものではない。凹面鏡１３０の位置を変えたり、映像光投射部１２０の位置を変えたりすることで、虚像の距離や表示位置を変えることも可能である。凹面鏡１３０等の光学系を駆動する機構を設けることで、虚像の距離や表示位置を変えることができる。さらには、曲率半径などが異なる複数の凹面鏡１３０を用意しておき、判定結果に応じて凹面鏡１３０を光路から入れ替えることで、虚像の距離や表示位置を変えてもよい。
【００７９】
なお、実施の形態２と実施の形態３の処理を合わせて行ってもよい。すなわち、ウィンドシールド１１の透過性の低下に応じて、虚像の距離、表示素子１２５での映像サイズ、及び虚像の表示位置の全てを変更するようにしてもよい。
【００８０】
上記の説明では、状態検出部１６０が、雨滴の有無、及び雨量の変化を検出したが、その他の天候についても対応することができる。例えば、雪や砂塵等でウィンドシールド１１の状態が変化した場合でも、同様に処理することができる。ウィンドシールド１１の状態に応じて、虚像の距離、表示位置、及び映像サイズの少なくとも一つを変更すればよい。
【００８１】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【００８２】
１  自動車
１０  ダッシュボード
１１  ウィンドシールド
１２  ステアリングホイール
Ｐ  運転者
１００  ヘッドアップディスプレイ装置
１１０  制御部
１１１  状態判定部
１１２  表示データ取得部
１１３  映像生成部
１１４  投射制御部
１１６  距離変更制御部
１１７  位置変更制御部
１２０  映像光投射部
１２１  光源
１２２  ライトトンネル
１２３  フレネルレンズ
１２４  拡散板
１２５  表示素子
１２６  距離変更駆動部
１３０  凹面鏡
１３１  位置変更駆動部
１６０  状態検出部
【図１】
2018090121.tif 000003
【図２】
2018090121.tif 000004
【図３】
2018090121.tif 000005
【図４】
2018090121.tif 000006
【図５】
2018090121.tif 000007
【図６】
2018090121.tif 000008
【図７】
2018090121.tif 000009
【図８】
2018090121.tif 000010
【図９】
2018090121.tif 000011
【図１０】
2018090121.tif 000012
【図１１】
2018090121.tif 000013
【図１２】
2018090121.tif 000014
【図１３】
2018090121.tif 000015
【図１４】
2018090121.tif 000016
【図１５】
2018090121.tif 000017
【図１６】
2018090121.tif 000018
【図１７】
2018090121.tif 000019